(57)【要約】      （修正有）【課題】撮像装置本体と、アクセサリ機器を連結するアクセサリ装着ユニットにおいて、撮像装置本体から容易に取り外して交換出来るアクセサリ装着ユニットを提供する。【解決手段】アクセサリ装着ユニット１００は、装着される外部装置であるアクセサリを支持する台座１０２と、アクセサリの装着時において主部１１６がアクセサリと台座１０２の間に介在し、主部１１６に連続する端部１１７，１１８が台座１０２の縁部に沿って折り曲げられて台座１０２に固定された板部材１０３とを備え、台座１０２は孔部１１５を有し、板部材１０３は台座１０２に固定された状態において孔部１１５の一部を主部１１６がオーバーラップするように切抜部１２０を有する。【選択図】図２
2013137451.tif 000002
【特許請求の範囲】
【請求項１】
装着される外部装置であるアクセサリを支持する台座と、
前記アクセサリの装着時において主部が前記アクセサリと前記台座の間に介在し、前記主部に連続する端部が前記台座の縁部に沿って折り曲げられて前記台座に固定された板部材と
を備え、
前記台座は孔部を有し、前記板部材は前記台座に固定された状態において前記孔部の一部を前記主部がオーバーラップするように切抜部を有するアクセサリ装着ユニット。
【請求項２】
前記板部材は、前記アクセサリを前記台座に付勢する板バネである請求項１に記載のアクセサリ装着ユニット。
【請求項３】
前記台座を筐体に固定する固定部材を備え、
前記板部材の前記主部は、前記台座が前記筐体に固定された状態において外観として現われないように前記固定部材を覆う請求項１または２に記載のアクセサリ装着ユニット。
【請求項４】
前記孔部は、前記アクセサリ側から延出される固定ピンの受容部である請求項１から３のいずれか１項に記載のアクセサリ装着ユニット。
【請求項５】
前記アクセサリは、前記主部の面方向にスライドされて前記台座に装着され、
スライド後に前記孔部に突出する前記固定ピンは、前記孔部の側面に当接して前記アクセサリのスライドを制限する請求項４に記載のアクセサリ装着ユニット。
【請求項６】
前記アクセサリの電気端子と接続される接点部を備え、
前記切抜部は、前記接点部を外観面に露出させる請求項１から５のいずれか１項に記載のアクセサリ装着ユニット。
【請求項７】
前記孔部は、前記台座を貫通する請求項１から６のいずれか１項に記載のアクセサリ装着ユニット。
【請求項８】
前記孔部は、前記台座において前記主部と接する面とは反対の面側に、前記主部が前記孔部をオーバーラップする部位に対向する鍔部を有する請求項１から６のいずれか１項に記載のアクセサリ装着ユニット。
【請求項９】
請求項１から８のいずれか１項に記載のアクセサリ装着ユニットを備える撮像装置。
【発明の詳細な説明】
【技術分野】
【０００１】
本発明は、アクセサリ装着ユニットおよび撮像装置に関する。
【背景技術】
【０００２】
デジタルカメラ等の撮像装置は、例えばフラッシュのようなアクセサリ機器を撮像装置本体に取り付けるためのアクセサリ装着ユニットを備えている。アクセサリ装着ユニットは、アクセサリ機器を支持する台座と、アクセサリ機器の装着時に台座とアクセサリ機器との間に介在する板部材とを備える。
［先行技術文献］
［特許文献］
［特許文献１］特公平６−１０７１１号公報
【発明の概要】
【発明が解決しようとする課題】
【０００３】
ユーザが撮像装置本体に取り付けられたアクセサリ機器に誤って負荷を掛けると、撮像装置とアクセサリ機器とを連結するアクセサリ装着ユニットが損傷する場合がある。この場合、ユーザは、アクセサリ装着ユニットを撮像装置本体から取り外して交換する必要がある。しかしながら、従来のアクセサリ装着ユニットは、板部材を台座から取り外し難い構造となっていた。
【課題を解決するための手段】
【０００４】
本発明の第１の態様におけるアクセサリ装着ユニットは、装着される外部装置であるアクセサリを支持する台座と、アクセサリの装着時において主部がアクセサリと台座の間に介在し、主部に連続する端部が台座の縁部に沿って折り曲げられて台座に固定された板部材とを備え、台座は孔部を有し、板部材は台座に固定された状態において孔部の一部を主部がオーバーラップするように切抜部を有する。また、本発明の第２の態様における撮像装置は、上記のアクセサリ装着ユニットを備える。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本発明の一実施形態に係るデジタルカメラの背面斜視図を示す。
【図２】図1に示すアクセサリ装着ユニットの分解斜視部である。
【図３】カメラ本体の筐体にアクセサリ装着ユニットが固定された状態を拡大して示す拡大図である。
【図４】アクセサリ装着ユニットを筐体から取り外す方法を説明するための図である。
【図５】図３に示す台座から板バネを取り外した状態をｙ軸プラス方向から見た上面図である。
【図６】アクセサリ装着ユニットを介してアクセサリ機器をカメラ本体に取り付けた状態を示す側方断面図である。
【図７】台座の変形例に係る台座を示す側方断面図である。
【図８】アクセサリ機器外付けユニットを説明するための図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係るデジタルカメラ１０の背面斜視図を示す。図示するように、被写体側からカメラ背面側へ向かう方向をｚ軸プラス方向と定め、カメラ背面側から見てカメラの幅方向右側へ向かう方向をｘ軸プラス方向、上方向をｙ軸プラス方向と定める。以下のいくつかの図においては、図１の座標軸を基準として、それぞれの図の向きがわかるように座標軸を表示する。
【０００９】
デジタルカメラ１０は、カメラ本体１１と、カメラ本体１１に着脱可能に取り付けられる交換レンズ１２とを備える。デジタルカメラ１０は、カメラ本体１１と交換レンズ１２とが組み合わされて、カメラとしての機能を発揮する。カメラ本体１１は、カメラ本体１１の外郭を構成する筐体１３を含む。筐体１３の頭頂部１４には、フラッシュ等のアクセサリ機器を筐体１３に着脱可能に取り付けるためのアクセサリ装着ユニット１００が設けられている。
【００１０】
図２は、図1に示すアクセサリ装着ユニット１００の分解斜視部である。なお、図２においては、理解の容易の観点から一部部材を省略している。筐体１３の頭頂部１４には、当該頭頂部１４の表面から下方へ凹む凹部１５が設けられている。凹部１５は、頭頂部１４の表面から下方へ凹む第一凹部１６と、第一凹部１６の底面１７からさらに下方に凹む第二凹部１８とを含む。第一凹部１６の底面１７には、ｙ軸下方向に延びて筐体１３を貫通する貫通孔１９が、複数設けられている。貫通孔１９には、アクセサリ装着ユニット１００を筐体１３に固定するための固定部材１１３が挿通される。なお、固定部材１１３については後述する。
【００１１】
アクセサリ装着ユニット１００は、凹部１５の内部に嵌入される。アクセサリ装着ユニット１００は、第二凹部１８に嵌め込まれるシューモールド１０１と、シューモールド１０１を上方から筐体１３との間で挟み込む台座１０２と、台座１０２に嵌入される板バネ１０３とを有する。
【００１２】
シューモールド１０１は、樹脂によって構成される。シューモールド１０１は、ブロック状の本体部１０４と、本体部１０４のx軸方向の両側面から外方に突出する複数の爪部１０５とを含む。爪部１０５は、本体部１０４のx軸方向の各側面の底部に２個設けられている。シューモールド１０１は、第二凹部１８の壁面に嵌合するように、第二凹部１８に沿った外周を有する。爪部１０５のｙ軸方向の厚さは、第二凹部１８のｙ軸方向の深さと同じ、またはそれよりも小さくなるように設定される。したがって、シューモールド１０１が第二凹部１８に嵌め込まれた場合、爪部１０５の上面は、第一凹部１６の底面１７と同じ、またはそれよりも低い位置となる。
【００１３】
シューモールド１０１の本体部１０４には、ｙ軸方向に貫通する貫通孔１０７が、複数設けられている。各貫通孔１０７には、接点ピン１０６が挿通される。接点ピン１０６は、後述するアクセサリ機器とカメラ本体１１とを電気的に接続する接点部として機能する。アクセサリ機器とカメラ本体１１との電気的な接続の構成については、後述する。
【００１４】
台座１０２は、金属によって構成される。台座１０２は、第一凹部１６の壁面に嵌合するように、第一凹部１６に沿った形状を有する。具体的には、台座１０２は、平板状の底壁部１０８と、底壁部１０８のｘ軸方向の両側端から上方に立ち上がる一対の側壁部１０９と、側壁部１０９の上端から、対向する側壁部１０９に向けて延出する一対の爪部１１１とを有する。底壁部１０８の中央領域には、ｚ軸プラス方向に開口する凹部１１０が設けられている。
【００１５】
凹部１１０は、シューモールド１０１の本体部１０４に沿う形状を有する。台座１０２がシューモールド１０１の上方から嵌め込まれると、シューモールド１０１の本体部１０４は、凹部１１０と嵌合する。そして、底壁部１０８は、第一凹部１６の底面１７と当接し、シューモールド１０１の爪部１０５を上方から覆う。上記したように、シューモールド１０１が第二凹部１８に嵌入された状態においては、爪部１０５の上面は、第一凹部１６の底面１７と同じ、またはそれよりも低い位置となる。このように、シューモールド１０１の爪部１０５は、第二凹部１８の底面と、台座１０２の底壁部１０８との間に挟み込まれるので、シューモールド１０１のｙ軸上方への移動が制限される。
【００１６】
台座１０２の底壁部１０８には、ｙ軸方向に貫通する貫通孔１１２が、複数設けられている。貫通孔１１２には、それぞれ固定部材１１３が挿通される。固定部材１１３は、貫通孔１１２の内壁面に設けられた係止部によって係止される。固定部材１１３は、台座１０２に設けられた貫通孔１１２と、筐体１３に設けられた貫通孔１９とを貫通し、筐体１３の内部側に配置された固定板１１４に固定される。固定部材１１３は、例えばネジによって構成される。
【００１７】
ここで、台座１０２は、底壁部１０８をｙ軸方向に貫通する孔部１１５を有する。本実施形態においては、孔部１１５は、ｚ軸方向に長尺な楕円状に設けられている。孔部１１５は、後述するアクセサリ機器がカメラ本体１１に取り付けられたときに、アクセサリ機器に設けられた固定ピンを受け入れる受容部として機能する貫通孔である。なお、孔部１１５については、後に詳述する。
【００１８】
板バネ１０３は、金属によって構成される。板バネ１０３は、略Ｕ字状の主部１１６と、主部１１６に連続する第一端部１１７および第二端部１１８と、第一端部１１７に連続するアーム部１１９とを有する。主部１１６は、その中央領域に、略Ｕ字状の開口であって、ｚ軸プラス方向に開口する切抜部１２０を含む。第一端部１１７は、主部１１６のｚ軸プラス方向側の端から、それぞれｙ軸マイナス方向へ延在する。そして、各第一端部１１７の下端には、ｚ軸マイナス方向に向けて突出する爪部１２１が、設けられている。第二端部１１８は、主部１１６のｚ軸マイナス方向側の端からｙ軸マイナス方向へ延在する。アーム部１１９は、第一端部１１７の上端からｚ軸マイナス方向上方に向けて斜めに延在する。
【００１９】
板バネ１０３は、第一端部１１７および第二端部１１８によって、台座１０２に装着される。具体的には、第一端部１１７が台座１０２の底壁部１０８のｚ軸プラス方向側の端部に嵌め込まれる。そして、第一端部１１７に設けられた爪部１２１が、底壁部１０８を下方側から係止する。また、第二端部１１８は、台座１０２の底壁部１０８のｚ軸マイナス方向側端部に当接する。このように、第一端部１１７と第二端部１１８との間に底壁部１０８を挟み込むことによって、板バネ１０３は、台座１０２に装着される。
【００２０】
図３は、カメラ本体１１の筐体１３に、アクセサリ装着ユニット１００が固定された状態を示す図である。図３に示す状態においては、板バネ１０３の第一端部１１７に設けられた爪部１２１は、台座１０２の底壁部１０８と筐体１３との間に入り込んでいる。また、板バネ１０３のアーム部１１９は、台座１０２の底壁部１０８と爪部１１１との間の空間に収容される。板バネ１０３の主部１１６は、後述するアクセサリ機器が台座１０２に装着されると、アクセサリ機器と台座１０２との間に入り込む。また、板バネ１０３のアーム部１１９は、アクセサリ機器と台座１０２との間で撓まれて収容される。この状態において、アーム部１１９は、アクセサリ機器を台座１０２の爪部１１１に押し当てるように付勢する。このため、アクセサリ機器は、台座１０２に強固に装着される。
【００２１】
板バネ１０３の主部１１６は、固定部材１１３が外観として現われないように、固定部材１１３を上方から覆っている。このように固定部材１１３をユーザの目に触れないように覆うことによって、デジタルカメラ１０のデザイン性を向上させることができる。その一方で、板バネ１０３の主部１１６に設けられた切抜部１２０は、シューモールド１０１の貫通孔１０７に挿入された接点ピン１０６と、台座１０２に設けられた孔部１１５とを外部に露出させる。
【００２２】
ここで、本実施形態においては、切抜部１２０は、孔部１１５の一部を主部１１６がオーバーラップするように形成されている。すなわち、孔部１１５のうちｚ軸マイナス方向側の一部開口を、主部１１６が覆っている。本実施形態によれば、ユーザは、主部１１６のオーバーラップ領域を利用することによって、アクセサリ装着ユニット１００をカメラ本体１１の筐体１３から容易に取り外すことができる。以下、図４を参照して、アクセサリ装着ユニット１００を筐体１３から取り外す方法について説明する。
【００２３】
図４は、アクセサリ装着ユニット１００を筐体１３から取り外す方法を説明するための図である。図４（ａ）は、図３の平面Ｐで切断した側方断面図である。なお、図３中の平面Pは、ｚ軸と直交し、孔部１１５の中心を通過する平面である。図４（ｂ）は、図４（ａ）の領域ｂの拡大図である。上記したように、アクセサリ装着ユニット１００は、固定部材１１３および固定板１１４によって、カメラ本体１１の筐体１３に固定されている。固定部材１１３は、図３に示す状態においては、台座１０２に嵌着された板バネ１０３の主部１１６によって覆われている。このため、ユーザは、アクセサリ装着ユニット１００を筐体１３から取り外す場合、まず、板バネ１０３を台座１０２から取り外す必要がある。
【００２４】
ここで、本実施形態においては、図４（ｂ）に示すように、板バネ１０３が台座１０２に嵌め込まれた場合、主部１１６に、孔部１１５の一部とオーバーラップするオーバーラップ部１１６ａが形成される。図示された実施形態の場合、オーバーラップ部１１６ａは、ｚ軸方向に長さＤを有するように配置されている。ユーザは、板バネ１０３を台座１０２から取り外す場合、ピンセット２００の先端を、主部１１６における孔部１１５とのオーバーラップ部１１６ａの下方側に潜り込ませる。そして、ユーザは、オーバーラップ部１１６ａを下方側から図４（ｂ）の矢印の方向に持ち上げることによって、板バネ１０３を台座１０２から取り外す。
【００２５】
なお、本実施形態においては、孔部１１５は、台座１０２を貫通している。この場合、孔部１１５の内部空間をより大きく確保することができるので、ユーザは、ピンセット２００等の器具をオーバーラップ部１１６ａの下方側により容易に潜り込ませることができる。
【００２６】
図５は、図３に示す台座１０２から板バネ１０３を取り外した状態をｙ軸プラス方向から見た上面図である。板バネ１０３が台座１０２から取り外されると、固定部材１１３が外部に露出する。板バネ１０３を台座１０２から取り外した後に、ユーザは、固定部材１１３を固定板１１４から取り外す。そして、ユーザは、シューモールド１０１および台座１０２をカメラ本体１１の筐体１３から取り外す。
【００２７】
上記のように、本実施形態によれば、板バネ１０３が台座１０２に嵌め込まれた状態において、板バネ１０３の主部１１６に、孔部１１５の一部とオーバーラップするオーバーラップ部１１６ａが形成される。ユーザは、オーバーラップ部１１６ａを利用して、板バネ１０３を台座１０２から容易に取り外すことができる。このため、ユーザは、アクセサリ装着ユニット１００を筐体１３から容易に取り外すことができる。
【００２８】
なお、本実施形態においては、切抜部１２０によって、主部１１６にオーバーラップ部１１６ａが形成されるとともに、接点ピン１０６が外部に露出する。したがって、オーバーラップ部１１６ａの形成と接点ピン１０６の露出の二つの機能を、一つの切抜部１２０で実現することができる。
【００２９】
図６は、アクセサリ機器３００を、本実施形態に係るアクセサリ装着ユニット１００を介して、カメラ本体１１に取り付けた状態を示す側方断面図である。アクセサリ機器３００は、アクセサリ装着ユニット１００に連結される取付部を備える。ユーザは、アクセサリ機器３００の取付部をｚ軸プラス方向側から台座１０２内に嵌め入れて、ｚ軸マイナス方向に押し込む。アクセサリ機器３００は、主部１１６の表面上をｚ軸マイナス方向にスライドする。アクセサリ機器３００が台座１０２に装着されると、板バネ１０３の主部１１６は、アクセサリ機器３００と台座１０２との間に介在する。また、板バネ１０３のアーム部１１９は、アクセサリ機器と台座１０２との間で撓んで収容される。
【００３０】
アクセサリ機器３００が、図６に示すように、固定ピン３０１の位置と孔部１１５の位置とが一致するまでｚ軸マイナス方向に押し込まれると、固定ピン３０１は、アクセサリ機器３００に固定されたバネ３０２の付勢によって下方へ突出し、孔部１１５に収容される。固定ピン３０１が孔部１１５に収容されると、固定ピン３０１は、孔部１１５の側面１１５ａに当接する。固定ピン３０１が孔部１１５の側面１１５ａに当接することによって、アクセサリ機器３００のｚ軸プラス方向へのスライドが制限される。
【００３１】
なお、本実施形態においては、上記したオーバーラップ部１１６ａは、孔部１１５のｚ軸マイナス方向側に配置されている。このようにオーバーラップ部１１６ａを配置することによって、固定ピン３０１が孔部１１５に収容された場合に、固定ピン３０１は、孔部１１５のｚ軸方向プラス側の側面１１５ａに面接触する。このため、アクセサリ機器３００がｚ軸プラス方向へ移動することを安定して制限することができる。
【００３２】
なお、主部１１６のオーバーラップ部１１６ａを、孔部１１５のｚ軸プラス方向側に配置した場合を想定すると、固定ピン３０１は、孔部１１５に収容された場合に、オーバーラップ部１１６ａの先端と接触することとなる。固定ピン３０１がオーバーラップ部１１６ａの先端と接触した場合、上記のように側面１１５ａと面接触する場合と比べて、接触面積が大幅に小さくなる。したがって、アクセサリ機器３００のｚ軸プラス方向への移動を安定して制限することができない。そこで、本実施形態においては、オーバーラップ部１１６ａを孔部１１５のｚ軸マイナス方向側に配置し、孔部１１５の側面１１５ａと固定ピン３０１とを面接触させることによって、アクセサリ機器３００の移動をより安定して制限する。
【００３３】
なお、上記したように、孔部１１５は、アクセサリ機器３００がカメラ本体１１に取り付けられたときに、固定ピン３０１を受け入れる受容部として機能する。また、孔部１１５は、板バネ１０３を台座１０２から取り外すためにも利用される。したがって、本実施形態に係る孔部１１５は、固定ピン３０１を受け入れる受容部としての機能と、板バネ１０３を台座１０２から取り外すため空間を提供する孔としての機能の、二つの機能を兼ね備える。
【００３４】
アクセサリ機器３００は、上記接点ピン１０６と接触する電気端子３０３を備える。電気端子３０３は、アクセサリ機器３００に固定されたバネ３０４によって下方へ向けて付勢されている。アクセサリ機器３００が、図６に示す位置まで押し込まれると、電気端子３０３は、バネ３０４よって下方へ付勢され、接点ピン１０６に圧接する。そして、アクセサリ機器３００は、接点ピン１０６、および接点ピンと連結する固定板１１４を介して、カメラ本体１１側と電気的に接続される。
【００３５】
図７は、上記した台座１０２の変形例に係る台座４００を示す側方断面図である。なお、上記実施形態と同様の部材には同じ符号を付し、詳しい説明を省略する。台座４００は、上記実施形態と同様に、アクセサリ機器３００が台座４００に嵌着された場合に、アクセサリ機器３００に設けられた固定ピン３０１が挿通される孔部４０１を有する。ここで、本実施形態においては、孔部４０１は、台座４００において板バネ１０３の主部１１６と接する面とは反対の面側に、オーバーラップ部１１６ａに対向する鍔部４０２を有する。鍔部４０２を設けることによって、ユーザがピンセット２００等の器具を用いて板バネ１０３を台座４００から取り外す場合に、ピンセット２００によってシューモールド１０１を損傷させてしまうのを防ぐことができる。
【００３６】
なお、上記実施形態においては、アクセサリ装着ユニット１００がデジタルカメラ１０に固定されている場合について述べた。しかしながら、これに限らず、アクセサリ装着ユニット１００を、例えば大型照明装置のようなアクセサリ機器をデジタルカメラ１０に間接的に取り付けるための、アクセサリ機器外付けユニットに適用することもできる。
【００３７】
図８は、アクセサリ機器外付けユニット６００を説明するための図である。アクセサリ機器外付けユニット６００は、デジタルカメラ５００を保持する台座フレーム６０１と、アクセサリ機器と台座フレーム６０１とを連結するアクセサリ装着ユニット１００とを備える。本実施形態においては、撮影時に被写体を照射するフラッシュ７００が、アクセサリ機器としてアクセサリ機器外付けユニット６００に取り付けられている。デジタルカメラ５００は、アクセサリ装着ユニット１００および台座フレーム６０１内部に配設された配線を介して、フラッシュ７００と電気的に接続される。本実施形態によれば、ユーザは、アクセサリ機器外付けユニット６００に固定されたアクセサリ装着ユニット１００を、アクセサリ機器外付けユニット６００から容易に取り外すことができる。なお、アクセサリ機器外付けユニット６００に取り付け可能なアクセサリ機器としては、上記フラッシュの他に、モニター装置、ＧＰＳユニット、マイク、ワイヤレストランスミッタ等が挙げられる。
【００３８】
なお、上記実施形態において、孔部１１５を楕円状に設けた場合について述べた。しかしながら、これに限らず、孔部１１５を、円形、多角形等の他の形状に設けてもよい。また、上記実施形態においては、ｚ軸プラス方向に開口する切抜部１２０によって、オーバーラップ部１１６ａが形成される場合について述べた。しかしながら、これに限らず、切抜部１２０は、孔部１１５の一部と重複するように形成されればよい。例えば、切抜部１２０を、孔部１１５の一部と重複するように主部１１６に穿設された貫通孔によって構成する。この場合においても、板バネ１０３の主部１１６にオーバーラップ部１１６ａが形成されるので、ユーザは、ピンセット等により板バネ１０３を台座１０２から容易に取り外すことができる。
【００３９】
また、上記実施形態において、主部１１６およびアーム部１１９を有する板バネ１０３に、孔部１１５との重複部分であるオーバーラップ部１１６ａを形成する場合について述べた。しかしながら、これに限らず、上記アーム部１１９を省いた板部材によって、孔部１１５とのオーバーラップ部１１６ａを形成してもよい。
【００４０】
また、上記実施形態においては、撮像装置の例としてレンズ交換式一眼レフデジタルカメラを用いて説明したが、他の形式のカメラであっても良い。具体的には、本実施形態の概念は、コンパクトデジタルカメラ、ミラーレス一眼カメラ等に適用できる。
【００４１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００４２】
１０，５００  デジタルカメラ、１１カメラ本体、１２  交換レンズ、１３  筐体、１４  頭頂部、１６，１８  凹部、１７  底面、１９，１０７，１１２  貫通孔、１００  アクセサリ装着ユニット、１０１  シューモールド、１０２  台座、１０３  板バネ、１０４  本体部、１０５、１１１，１２１  爪部、１０６  接点ピン、１０８  底壁部、１０９  側壁部、１１０  凹部、１１３  固定部材、１１４  固定板、１１５，４０１  孔部、１１５ａ  側面、１１６  主部、１１６ａ  オーバーラップ部、１１７，１１８  端部、１１９  アーム部、１２０  切抜部、２００  ピンセット、３００  アクセサリ機器、３０１  固定ピン、３０２，３０４  バネ、３０３  電気端子、４００  台座、４０２  鍔部、６００  アクセサリ機器外付けユニット、６０１  台座フレーム、７００  フラッシュ
【図１】
2013137451.tif 000003
【図２】
2013137451.tif 000004
【図３】
2013137451.tif 000005
【図４】
2013137451.tif 000006
【図５】
2013137451.tif 000007
【図６】
2013137451.tif 000008
【図７】
2013137451.tif 000009
【図８】
2013137451.tif 000010